(57)【要約】  【課題】  コスト高になることなく、ディスプレイ設定のためのユーザの操作の煩わしさを軽減させることができるカラオケ装置を提供する。  【解決手段】  カラオケ装置２００は、カラオケ演奏を行うとともに映像信号を生成して、映像信号送信部４２でディスプレイ装置に送信する。カラオケ演奏を操作部２０１，２００Ａから操作入力手段１０１に入力された操作信号によって制御する。この操作子の機能を、カラオケ曲の演奏を制御する通常モードとディスプレイ装置の表示機能を制御する制御モードとの間で設定を切り換える。制御モード設定時に、制御モード設定時の各操作子の機能を表示する操作ガイド映像を映像信号送信部４２に出力する。制御モードに設定時であって操作部２０１，２００Ａの操作子が操作されたとき、その操作に対応する制御信号をディスプレイ通信部４３に出力し、ディスプレイ通信部４３によってディスプレイ装置に送信する。【選択図】  図３
2007052234.tif 000002
【特許請求の範囲】
【請求項１】
映像信号をディスプレイ装置に出力する映像信号送信部と、カラオケ曲の演奏を行う演奏部と、このカラオケ曲の演奏を制御するための複数の操作子を備えた操作部から操作信号を入力する操作信号入力手段と、カラオケ曲の演奏に応じた映像信号を生成して前記映像信号送信部に出力する映像生成手段とを備えたカラオケ装置であって、
制御信号を前記ディスプレイ装置に出力するディスプレイ通信部と、
前記操作部の操作子の機能を、前記カラオケ曲の演奏を制御する通常モードと前記ディスプレイ装置の表示機能を制御するディスプレイ制御モードとの間で設定を切り換えるモード切換手段と、
ディスプレイ制御モードに設定されているときの各操作子の機能を表示する操作ガイド映像を記憶したガイド映像記憶部と、
前記ディスプレイ制御モードに設定されているときに、前記操作ガイド画像記憶部から操作ガイド映像を読み出して前記映像信号送信部に出力するガイド映像出力手段と、
ディスプレイ制御モードに設定されている場合であって前記操作部の操作子が操作されたとき、その操作に対応する制御信号を前記ディスプレイ通信部に出力する制御信号出力手段と、
を備えたカラオケ装置。
【請求項２】
前記制御信号出力手段は、自機の電源がオンされたときに、前記ディスプレイ装置の電源をオンさせる制御信号を前記ディスプレイ通信部に出力する、
請求項１に記載のカラオケ装置。
【請求項３】
前記制御信号出力手段は、
前記ディスプレイ装置を識別するための識別ＩＤの送信を指示するための制御信号を前記ディスプレイ通信部に出力し、
この制御信号を受信した前記ディスプレイ装置から、識別ＩＤを通知するための信号を前記ディスプレイ通信部で受信した場合に、この識別ＩＤで特定される前記ディスプレイ装置が自機に対応する装置であるかどうかを判断し、
このディスプレイ装置が自機に対応する装置でないと前記制御信号出力手段で判断された場合に、カラオケ演奏曲に対応する映像信号の前記映像生成部による生成を禁止する映像生成禁止手段を更に備えた、
請求項２に記載のカラオケ装置。
【請求項４】
映像信号をディスプレイ装置に出力する映像信号送信部と、カラオケ楽曲データを記憶する曲データ記憶部と、このカラオケ楽曲データを用いてカラオケ楽曲を演奏する演奏部と、カラオケ曲の演奏に応じた映像信号を生成して前記映像信号送信部に出力する映像生成手段と、を備えたカラオケ装置であって、
制御信号を前記ディスプレイ装置に出力するディスプレイ通信部と、
前記カラオケ楽曲データに含まれる、この映像に好適な前記ディスプレイ装置の表示設定を示す表示情報を取得する取得手段と、
この取得手段で取得した表示情報に基づいて前記ディスプレイ装置の表示機能の設定変更を指示する制御信号を前記ディスプレイ通信部に出力する制御信号出力手段と、
を備えたカラオケ装置。
【発明の詳細な説明】
【技術分野】
【０００１】
この発明は、カラオケ演奏を行うとともに、ディスプレイ装置にカラオケ演奏に対応したカラオケ映像を表示させるカラオケ装置に関し、特に表示する映像の表示機能の設定を調整することができるものに関する。
【背景技術】
【０００２】
カラオケ店舗等では、カラオケ装置はカラオケ演奏に応じたカラオケ映像を表示するためのディスプレイ装置を接続することが一般的である（例えば、特許文献１）。近年、このディスプレイ装置として、液晶ディスプレイ装置やプラズマディスプレイ装置等のＣＲＴ以外の装置を用いることも多くなっている。
【０００３】
この様なＣＲＴ以外のディスプレイ装置（特に液晶ディスプレイ装置）は、温度変化等の周囲の条件変化によって画質が変化しやすいデリケートなものである。このため、この画質の変化に合わせてこまめに画質設定等のディスプレイ設定を変更することが好ましい。また、演奏曲の種類等に応じてディスプレイ設定を変更した方が、演奏効果が向上する。
【特許文献１】特開２００２−１０８３７２号公報
【発明の開示】
【発明が解決しようとする課題】
【０００４】
一般的な液晶ディスプレイ装置では、ディスプレイの下に設けられた操作ボタンを押してディスプレイ設定の変更を行う必要があり、ユーザにとって面倒であった。ユーザは、カラオケ曲の選曲やテンポやキーの変更等のカラオケ曲を制御するために使用しているリモートコントローラ（リモコン）を用いてディスプレイ設定の変更ができれば好都合である。
【０００５】
しかしながら、リモコンに専らディスプレイ設定のための操作ボタン等を追加することはコスト高になってしまう。この様なコスト高を防止するため、操作ボタンの追加を行わず、ソフトウェア的にモード切換で選曲ボタン等をディスプレイ設定ボタンに流用することは可能である。しかし、この場合には、ディスプレイ設定を行うためのモード（ディスプレイ設定モード）において、どの操作ボタンがどの機能に対応するものであるかがユーザには全くわからず、操作性が悪い。
【０００６】
上記課題を解決するために、本発明は、コスト高になることなく、ディスプレイ設定のためのユーザの操作の煩わしさを軽減させることができるカラオケ装置を提供することを目的としている。
【課題を解決するための手段】
【０００７】
上記課題を解決するために本発明では以下の手段を採用している。
【０００８】
（１）本発明は、映像信号をディスプレイ装置に出力する映像信号送信部と、カラオケ曲の演奏を行う演奏部と、このカラオケ曲の演奏を制御するための複数の操作子を備えた操作部から操作信号を入力する操作信号入力手段と、カラオケ曲の演奏に応じた映像信号を生成して前記映像信号送信部に出力する映像生成手段とを備えたカラオケ装置であって、制御信号を前記ディスプレイ装置に出力するディスプレイ通信部と、前記操作部の操作子の機能を、前記カラオケ曲の演奏を制御する通常モードと前記ディスプレイ装置の表示機能を制御するディスプレイ制御モードとの間で設定を切り換えるモード切換手段と、ディスプレイ制御モードに設定されているときの各操作子の機能を表示する操作ガイド映像を記憶したガイド映像記憶部と、前記ディスプレイ制御モードに設定されているときに、前記操作ガイド画像記憶部から操作ガイド映像を読み出して前記映像信号送信部に出力するガイド映像出力手段と、ディスプレイ制御モードに設定されている場合であって前記操作部の操作子が操作されたとき、その操作に対応する制御信号を前記ディスプレイ通信部に出力する制御信号出力手段と、を備える。
【０００９】
上記本発明の構成によれば、操作信号入力手段では、操作部（リモコンやタッチパネル等）からカラオケ曲の演奏を制御するための操作子が操作されて操作信号が入力される。演奏部では、この操作に応じたカラオケ曲の演奏が行われる。そして、映像生成部によって、このカラオケ曲の演奏に応じた映像が生成されて映像信号送信部に出力される。映像信号送信部によって、入力した映像信号がディスプレイ装置に出力される。
【００１０】
上述した様に、操作子の機能は通常モードではカラオケ曲の演奏を制御するものである。これに対してディスプレイ制御モードでは、操作子の機能はディスプレイ装置の表示機能（画質調整機能等）を制御するものである。
【００１１】
本発明では、モード切換手段によって、操作子の機能が通常モードとディスプレイ制御モードとの間で設定が切り換えられる。これによって、操作子を操作することでディスプレイ装置のディスプレイ設定のための操作を行うことが可能となる。
【００１２】
また、ディスプレイ制御モードに設定されているときの各操作子の機能を表示する操作ガイド映像が、ガイド映像記憶部によって記憶される。ディスプレイ制御モードに設定されているときに、ガイド映像出力手段によって、操作ガイド画像記憶部から操作ガイド映像が読み出され、前記映像信号送信部に出力される。
【００１３】
これによって、ガイド映像がディスプレイ装置で表示されることで、ディスプレイ制御モードに設定されているときの各操作子の機能が表示される。このため、本来カラオケ演奏を制御するための操作子をどの様に操作すれば所望のディスプレイ設定に制御することができるかをユーザに示すことができる。
【００１４】
そして、ディスプレイ制御モードに設定されている場合であって、ガイド映像で示されたように操作部の操作子が操作されたとき、その操作に対応する制御信号が制御信号出力手段によってディスプレイ通信部に出力される。ディスプレイ通信部によって、入力した制御信号がディスプレイ装置に送信される。これによって、操作部にディスプレイ設定を専ら行うための操作子を追加することなく、カラオケ装置の操作部を用いてディスプレイ設定を制御することが可能となる。このため、コスト高になることなく、ディスプレイ設定のためのユーザの操作性を向上させることが可能となる。
【００１５】
（２）本発明は、上記カラオケ装置において、前記制御信号出力手段は、自機の電源がオンされたときに、前記ディスプレイ装置の電源をオンさせる制御信号を前記ディスプレイ通信部に出力する。これによって、自機の電源がオンされたときに、ディスプレイ装置の電源を自動的にオンさせることが可能となる。このため、ディスプレイ装置の電源をオンする手間をユーザに与えないでよくなり、この点からも操作性を向上させることが可能となる。
【００１６】
（３）本発明は、上記カラオケ装置において、前記制御信号出力手段は、前記ディスプレイ装置を識別するための識別ＩＤの送信を指示するための制御信号を前記ディスプレイ通信部に出力し、この制御信号を受信した前記ディスプレイ装置から、識別ＩＤを通知するための信号を前記ディスプレイ通信部で受信した場合に、この識別ＩＤで特定される前記ディスプレイ装置が自機に対応する装置であるかどうかを判断し、このディスプレイ装置が自機に対応する装置でないと前記制御信号出力手段で判断された場合に、カラオケ演奏曲に対応する映像信号の前記映像生成部による生成を禁止する映像生成禁止手段を更に備える。
【００１７】
上記本発明の構成によれば、ディスプレイ装置を識別するための識別ＩＤの送信を指示するための制御信号がディスプレイ通信部からディスプレイ装置に出力される。この制御信号を受信したディスプレイ装置からは、識別ＤＩを通知するための信号がディスプレイ通信部で受信される。この場合に、映像生成禁止手段によって、識別ＩＤで特定されるディスプレイ装置が自機に対応する装置であるかどうかが判断される。
【００１８】
識別ＩＤで特定されるディスプレイ措置が自機に対応する装置（機種等）ではない場合には、カラオケ装置から入力した映像の表示を好適に行うことができない等の不具合が生じる場合がある。
【００１９】
本発明では、ディスプレイ装置が自機に対応する装置ではないと制御信号出力手段によって判断された場合に、カラオケ演奏曲に対応する映像信号の映像生成部による生成が禁止される。この様に、予め映像の表示に不具合が生じる可能性がある場合には予め映像生成部による生成を禁止することで、不具合のある映像が表示されることを効果的に防止することが可能である。
【００２０】
（４）本発明は、映像信号をディスプレイ装置に出力する映像信号送信部と、カラオケ楽曲データを記憶する曲データ記憶部と、このカラオケ楽曲データを用いてカラオケ楽曲を演奏する演奏部と、映像データを用いてカラオケ曲の演奏に応じた映像信号を生成して前記映像信号送信部に出力する映像生成手段と、を備えたカラオケ装置であって、制御信号を前記ディスプレイ装置に出力するディスプレイ通信部と、前記カラオケ楽曲データに含まれる、この映像に好適な前記ディスプレイ装置の表示設定を示す表示情報を取得する取得手段と、この取得手段で取得した表示情報に基づいて前記ディスプレイ装置の表示機能の設定変更を指示する制御信号を前記ディスプレイ通信部に出力する制御信号出力手段と、を備える。
【００２１】
上記本発明の構成によれば、演奏部では、曲データ記憶部で記憶されたカラオケ楽曲データを用いてカラオケ曲の演奏が行われる。そして、映像生成部によって、カラオケ曲の演奏に応じた映像信号が生成されて映像信号送信部に出力される。映像信号送信部によって、入力した映像信号がディスプレイ装置に出力される。
【００２２】
そして、カラオケ楽曲データにはこの映像に好適なディスプレイ装置の表示設定を示す表示情報が含まれる。この表示情報が取得手段によって取得される。この取得手段で取得した表示情報に基づいてディスプレイ装置の表示機能の設定変更を指示する制御信号が制御信号出力手段によってディスプレイ通信部に出力される。これによって、演奏されるカラオケ楽曲に応じて好適な表示設定でディスプレイ装置の表示機能の設定が変更されるため、ユーザが何ら操作しなくても自動的に演奏されるカラオケ楽曲に応じた好適な表示設定に変更することが可能となる。
【発明の効果】
【００２３】
請求項１に記載の本発明によれば、これによって、操作部にディスプレイ設定を専ら行うための操作子を追加することなく、カラオケ装置の操作部を用いてディスプレイ設定を制御することができる。このため、コスト高になることなく、ディスプレイ設定のためのユーザの操作の煩わしさを軽減させることができる。
【００２４】
また、請求項４に記載の本発明によれば、演奏されるカラオケ楽曲に応じて好適な表示設定でディスプレイ装置の表示機能の設定が変更される。このため、ユーザが何ら操作しなくても自動的に演奏されるカラオケ楽曲に応じた好適な表示設定に変更することができる。これによって、コスト高になることなくユーザの操作の煩わしさを軽減することが可能となる。また、演奏されるカラオケ楽曲に応じた好適な表示設定で映像を表示させることができる。
【発明を実施するための最良の形態】
【００２５】
図１〜図１０を参照して本発明の実施形態であるカラオケシステム１００について説明する。
【００２６】
《概要の説明》
図１は、カラオケシステム１００の外観を示す斜視図である。カラオケシステム１００は、カラオケ楽曲を演奏するカラオケ装置２００と、このカラオケ楽曲に対応した映像（カラオケ映像）を表示するためのディスプレイ装置３００とを備える。
【００２７】
カラオケ装置２００は、略直方体形状であり、そのフロントパネル面側（同図中手前側）の側面には、カラオケ演奏を制御する機能を備えた操作ボタン（本発明の操作子）等が複数配列された操作部２０１及び赤外線受光部２０２が配置されている。この操作部２０１は、操作ボタンの押下等によって演奏するカラオケ楽曲の選択を行う操作や、カラオケ楽曲のテンポやキーを変更する操作等のカラオケ演奏を制御する操作をユーザから受け付ける。
【００２８】
また、赤外線受光部２０２は、カラオケ装置２００の付属物であるリモコン２００Ａ（本発明の操作部）が発信した赤外光である操作信号を受光する。すなわち、リモコン２００Ａは複数配列された操作ボタン（本発明の操作子）等を備え、このリモコン２００Ａが操作ボタンの押下によってカラオケ楽曲の選択等の操作をユーザから受け付けた場合に、この操作内容を示す操作信号を赤外線信号として出力する。赤外線受光部２０２は、この操作信号を受信する。
【００２９】
ディスプレイ装置３００は、例えば、ＣＲＴ（Cathode Ray Tube）ディスプレイ装置、ＬＣＤ（Liquid Crystal Display）装置や、プラズマディスプレイ装置等である。ディスプレイ装置３００は、カラオケ装置２００と映像信号の伝送用のケーブル４００で接続され、このケーブル４００を介してカラオケ装置２００から映像信号を入力する。また、ディスプレイ装置３００は、カラオケ装置２００とシリアル通信ケーブル５００（以下「ケーブル５００」と記載する）で接続され、このケーブル５００を介してカラオケ装置２００との間でシリアル通信を行う。
【００３０】
ディスプレイ装置３００は、赤外線受光部３０１を備え、付属のリモコン（図略）から操作信号を入力することにより、ユーザからの操作を受け付けることができる。この赤外線受光部３０１でユーザから画質調整（表示機能）を制御するための操作を受け付けたときには、ディスプレイ装置３００は操作に従った画質調整でカラオケ装置２００から入力した映像を表示する。
【００３１】
これとともに、ディスプレイ装置３００は、ケーブル５００を介して画質調整を制御するための制御信号を入力したときにも、この制御信号に応じた画質調整で映像を表示する。すなわち、本カラオケシステム１００では、カラオケ楽曲の演奏を制御するための操作子を備えた操作部２０１やリモコン２００Ａを用いて、ディスプレイ装置３００の画質設定を調整することができるようにした。
【００３２】
なお、画質設定とは、例えば、輝度、コントラスト、シャープネス及びホワイトバランス等である。
【００３３】
具体的には、操作部２０１やリモコン２００Ａのモードが通常モードからディスプレイ制御モードに切り換えられた場合に、各操作ボタンに画質設定の機能が割り当てられる。このため、カラオケ装置２００は操作部２０１やリモコン２００Ａを用いた操作をガイドするための操作ガイドウィンドウｗ１をディスプレイ装置３００に出力する。
【００３４】
ディスプレイ装置３００は、演奏するカラオケ楽曲に応じた映像（例えば背景映像）等のカラオケ装置２００から入力した他の映像の上にオーバーラップで操作ガイドウィンドウｗ１を表示する。この様にオーバーラップで操作ガイドウィンドウｗ１を表示する画像を以下操作ガイド画像Ｇと記載する。図２（ａ）（ｂ）は、この操作ガイド画像Ｇを示す図である。
【００３５】
同図（ａ）（ｂ）で示すように、操作ガイド画像Ｇには、ディスプレイ装置３００によって画質調整ウィンドウｗ２が合成されて表示される。この画質調整ウィンドウｗ２はディスプレイ装置３００が記憶し、ディスプレイ装置３００によって操作ガイド画像Ｇに重ねて表示される。なお、一般に、画質調整ウィンドウｗ２は画面中央に表示されるため。これと重なり合わないように、操作ガイドウィンドウｗ１は画面端（本実施形態では左端）に表示される。
【００３６】
同図（ａ）は、ディスプレイ制御モードが選択された当初に表示される操作ガイド画像Ｇ及び画質調整ウィンドウｗ２を示す。すなわち、（ａ）では、画質調整ウィンドウｗ２には、設定を調整する項目を選択するため、この選択可能な項目のリストが表示される。白黒が反転しているのが（同図では塗り潰しがなされているのが）、選択される項目を示す。また、（ａ）では、操作ガイドウィンドウｗ１の中段には、操作部２０１及びリモコン２００Ａの「キーコントロールボタン『↑』『↓』」は、リストのうち選択する項目を変更する機能が割り当てられている旨が表示されている。すなわち、このボタンを押下した場合には、画質調整ウィンドウの塗り潰しがなされている項目が上下に移動され、選択する項目が変更される。
【００３７】
また、操作ガイドウィンドウｗ１の上段には、「テンポコントロールキーの『↑』」には、「キーコントロールボタン『↑』」の押下によって選択した項目の選択を確定する機能が割り当てられている旨が表示されている。これによって、選択した項目の画質調整を行うための操作ガイド画像Ｇや画質調整ウィンドウｗ２が続いて表示される。
【００３８】
そして、操作ガイドウィンドウｗ１の下段には、通常では入力内容を確定するための「確定ボタン」は、ディスプレイ制御モードを終了させる機能が割り当てられている旨が表示されている。
【００３９】
このボタンが押下されると操作ガイド画像Ｇの表示が終了し、カラオケ映像のみが表示されることになる。そして、通常モードに戻されて、操作部２０１及びリモコン２００Ａはカラオケ装置２００のための操作を受け付けることになり、ディスプレイ装置３００は画質設定の調整を受け付けることができなくなる。すなわち、例えば「キーコントロールボタン『↑』『↓』」は、カラオケ演奏曲のキーコントロールを調整するための操作を専ら受け付けることになる。
【００４０】
同図（ｂ）は、（ａ）でコントラストの項目が選択された場合に表示される操作ガイド画像Ｇ及び画質調整ウィンドウｗ２を示す。この場合には、画質調整ウィンドウｗ２には、「ＣＯＮＴＲＡＳＴ」、「Ｒ−ＣＯＮＴＲＡＳＴ」「Ｇ−ＣＯＮＴＲＡＳＴ」「Ｂ−ＣＯＮＴＲＡＳＴ」の項目リストが表示されている。そして、操作ガイドウィンドウｗ１の中段には、「キーコントロールボタン『↑』『↓』」には、上記項目リストのうち画質調整を行う項目を選択する機能が割り当てられている旨が示されている。
【００４１】
また、上段には、「キーコントロールボタン『↑』『↓』」には、選択されている項目のコントラストを変更する機能が割り当てられている旨が表示されている。すなわち、このボタンを押下した場合には、画質調整ウィンドウｗ２の塗り潰しがなされている項目が変更されて、この項目のコントラストを調整することができる。
【００４２】
そして、操作ガイドウィンドウｗ１の下段には、「採点ボタン」は、画質調整をする項目を選択する操作ガイド画像Ｇに戻す機能が割り当てられている旨が表示されている。このボタンが押下されると操作ガイド画像Ｇは同図（ａ）で示す、画質調整をする項目を選択するためのものが表示されることになる。
【００４３】
図１に戻って、ユーザが操作部２０１やリモコン２００Ａを用いて、画質設定を調整するための操作（画質調整操作）を行った場合に、カラオケ装置２００は、この画質調整操作に基づいてディスプレイ装置３００に画質設定を調整させるための制御信号をディスプレイ装置３００にケーブル５００を介して送信する。ディスプレイ装置３００は、制御信号に基づいた画質調整を行う。
【００４４】
これによって、ユーザは、ディスプレイ装置のリモコン（図略）及び操作部２０１やリモコン２００Ａの双方を操作しなくても、カラオケシステム１００の操作を行うことができ、画質調整のためのユーザの操作の煩わしさを軽減させることができる。また、カラオケ演奏の制御する用の操作子を操作することで、画質調整の操作を行うことができるため、リモコン２００Ａや操作部２０１に画質調整の操作用の操作子を追加しなくてもよく、その分コスト高となることを防止することができる。
【００４５】
更に、本カラオケシステム１００では、カラオケ楽曲データＤ１に表示情報が含まれているときに、カラオケ装置２００はこの表示情報を取得する。表示情報は、カラオケ楽曲の演奏に応じて好適な画質を示す情報である。カラオケ装置２００は取得した表示情報の示す画質に調整させる制御信号（画質制御信号）をディスプレイ装置３００にケーブル５００を介して入力する。ディスプレイ装置３００は、入力した画質制御信号の示す画質に調整して映像信号を表示する。これによって、カラオケ楽曲の演奏に応じた画質で映像を表示することができる。
【００４６】
また、本カラオケシステム１００は、カラオケ装置２００の電源（主電源を含む）をオンする操作がなされたときに、ディスプレイ装置３００の電源も自動的にオンされる。具体的には、カラオケ装置２００の電源がオンされたときに、カラオケ装置２００は、ディスプレイ装置３００の電源のオンを指示する制御信号をディスプレイ装置３００にケーブル５００を介して入力する。
【００４７】
この制御信号に従って、ディスプレイ装置３００は電源をオンする。これによって、ユーザはカラオケ装置２００及びディスプレイ装置３００に個別に電源をオンする操作を行わなくてもよくなり、操作性を向上させることができる。
【００４８】
また、本カラオケシステム１００では、ディスプレイ装置３００はカラオケ装置２００に対応する装置（例えば機種等）が限定されている。カラオケ装置２００は、このディスプレイ装置３００の機種等を識別するための識別ＩＤの送信を指示する制御信号をディスプレイ装置３００に対してケーブル５００を介して送信する。
【００４９】
ディスプレイ装置３００は、この制御信号を受信するとケーブル５００を介して識別ＩＤをカラオケ装置２００に送信する。カラオケ装置２００は、この識別ＩＤを基に、ディスプレイ装置３００が自機に対応する装置であるかどうかを判断する。そして、自機に対応しない装置である場合には、カラオケ装置２００はディスプレイ装置３００に対するカラオケ映像の送信を禁止する。
【００５０】
カラオケ装置２００に対応しない機種である場合には、ディスプレイ装置３００に好適に映像が表示されない。このため、予め映像信号をディスプレイ装置３００に入力しないことで、ディスプレイ装置３００に不具合のある映像が表示されることを防止することができる。
【００５１】
《構成の説明》
図３は、図１で示すカラオケ装置２００の構成を示すブロック図である。
【００５２】
カラオケ装置２００は、装置全体の動作を制御するＣＰＵ（Central ProcessingUnit）１０と、図略のバスやコネクタを介してこれに接続された各種機器で構成されている。ＣＰＵ１０には、ハードディスク（以下、「ＨＤＤ」と記載する）１１及びＲＡＭ（Random Access Memory）１２が接続されている。
【００５３】
ＨＤＤ１１は、カラオケ楽曲の演奏、歌唱音声の入出力及び該カラオケ楽曲の演奏に対応した映像信号等をディスプレイ装置３００に出力するため等の所定のプログラムを記憶する。また、ＨＤＤ１１は、曲データ記憶部１１１Ａ、映像データ記憶部１１１Ｂ及び操作ガイドウィンドウ記憶部１１２を備える。
【００５４】
曲データ記憶部１１１Ａは、例えばＭＩＤＩデータ等のカラオケ楽曲を演奏するためのデータ（カラオケ楽曲データ）Ｄ１を記憶する領域である。このカラオケ楽曲データＤ１には、図４で示すように、ヘッダ部分に背景映像を選択するための情報を含み、曲データや、歌詞を表示するための歌詞データを含む。この他にカラオケ楽曲データＤ１は、上述した表示情報を含む場合がある。
【００５５】
また、映像データ記憶部１１１Ｂは、背景映像等のカラオケ演奏に応じたカラオケ映像データＤ２を記憶する領域である。そして、操作ガイドウィンドウ記憶部１１２（本発明のガイド映像記憶部）は、上述した操作ガイドウィンドウｗ１（本発明のガイド映像、図２を参照）の画像データを記憶する領域である。
【００５６】
ＲＡＭ１２は、ＣＰＵ１０の作業領域であり、ＨＤＤ１１からプログラムを読み出すエリアの他に、カラオケ映像データや操作ガイドウィンドウｗ１の画像データを読み出すエリアが設定されている。
【００５７】
また、ＣＰＵ１０には、音源１３、Ａ／Ｄコンバータ１４、ミキサ１６、サウンドシステム（以下、「ＳＳ」と記載する）１７、上述した操作部２０１及び赤外線受光部２０２が接続されている。
【００５８】
音源１３は、ＣＰＵ１０（後述する曲シーケンサ１０２Ａ）から入力された曲データ（ノートイベントデータ等）に応じて楽音信号を形成し、ミキサ１６に出力する。Ａ／Ｄコンバータ１４は、マイクロフォン１５によって入力された歌唱者の歌唱音声信号をデジタル信号に変換し、ミキサ１６に出力する。
【００５９】
ミキサ１６は、音源１３が発生した複数の楽音信号、および、マイクロフォン１５−Ａ／Ｄコンバータ１４を介して入力された歌唱者の歌唱音声信号に対してエコーなどの効果を付与するとともに、これらの信号を適当なバランスでミキシングする。ミキサ１６は、ミキシングしたデジタルの音声信号をＳＳ１７に出力する。ミキサ１６が各音声信号に付与する効果およびミキシングのバランスはＣＰＵ１０によって制御される。ＳＳ１７は、Ｄ／Ａコンバータおよびパワーアンプを備えており、入力されたデジタル信号をアナログ信号に変換して増幅し、スピーカ１８から放音する。
【００６０】
操作部２０１は、例えば、種々のキースイッチを備えたパネルスイッチや、このパネルスイッチに信号の送受信を可能に接続されたパネルスイッチインターフェース等からなる。赤外線受光部２０２は、リモコン受信回路等からなる。パネルスイッチやリモコン２００Ａでユーザからの操作を受け付けた場合には、操作部２０１及び赤外線受光部２０２は、この操作内容を示す操作信号をＣＰＵ１０に出力する。
【００６１】
更に、ＣＰＵ１０には、ＭＰＥＧ（Moving Picture Experts Group） デコーダ４１、合成回路４２が接続されている。ＭＰＥＧデコーダ４１には、ＣＰＵ１０（後述する背景映像再生部１０３）からＭＰＥＧ２形式にエンコードされたカラオケ映像データＤ２が入力される。ＭＰＥＧデコーダ４１は、入力されたＭＰＥＧデータをＮＴＳＣ（National Television System Committee）の映像信号に変換して合成回路４２に入力する。
【００６２】
合成回路４２は、ＭＰＥＧデコーダ４１から映像信号が入力されるとともに、ＣＰＵ１０（後述の歌詞シーケンサ１０２Ｂ）から歌詞テロップ等の画像パターンが入力される。また、ディスプレイ制御モードが選択されているときには、ＣＰＵ１０（後述の画像合成指示部１０５）から操作ガイドウィンドウｗ１の画像データが入力される。
【００６３】
合成回路４２は、入力した映像信号に歌詞テロップや、操作ガイドウィンドウｗ１等のＯＳＤを合成する回路である。映像信号に操作ガイドウィンドウｗ１が合成されることで、図２を用いて上述したような操作ガイド画像Ｇの映像信号が生成される。合成回路４２（本発明の映像信号送信部）は、合成後の映像信号を接続端子４４に接続されたケーブル４００を介してディスプレイ装置３００に入力する。これによって、ディスプレイ制御モードが選択されているときには、操作ガイド画像Ｇの映像信号がディスプレイ装置３００に入力される。
【００６４】
また、ＣＰＵ１０には、シリアルインタフェース４３及びネットワーク通信部４６が接続されている。シリアルインタフェース４３（本発明のディスプレイ通信部）は、接続端子４５に接続されたケーブル５００を介してディスプレイ装置３００とシリアル通信を行うインタフェース回路である。ネットワーク通信部４６はインターネットやＬＡＮ（Local Area Network）等の広域ネットワークに接続され、この広域ネットワークを介しての通信を行うためのインタフェース回路である。
【００６５】
ＣＰＵ１０は、ＨＤＤ１１に記憶されるプログラムを実行することで、操作入力処理部１０１と、シーケンサ１０２と、背景映像再生部１０３と、映像再生禁止部１０４、画像合成指示部１０５、シリアル通信制御部１０６及びネットワーク通信制御部１０７を機能的に備える。
【００６６】
操作入力処理部１０１（本発明の操作信号入力手段）は、操作部２０１や赤外線受光部２０２から入力した操作信号に従った処理を実行する。例えば、モード選択の操作信号を入力した場合には、例えば、ＲＡＭ１２における所定のフラグ記憶部にフラグを記憶させる等して、選択されたモードを切り換え設定する。なお、モード選択の初期設定は通常モードであり、ディスプレイ制御モードを選択する操作信号が入力されない場合には通常モードが設定される。
【００６７】
図２を用いて上述したように、通常モードが設定されている場合とディスプレイ制御モードが設定されている場合とで、同一の操作ボタンでも割り当てられる機能が異なる。例えば図２の例では、操作信号が「キーコントロールボタン『↑』『↓』」を示す場合には、通常モードでは専らカラオケ演奏曲のキーコントロールを調整するための信号となる。また、ディスプレイ制御モードでは、画質調整の項目を選択するための信号となる。
【００６８】
このため、操作入力処理部１０１は、操作信号を入力すると、設定されているモードに応じた処理を実行する。例えば通常モードにおいて、曲選択の操作信号を入力した場合には、選択されたカラオケ楽曲をシーケンサ１０２に通知する。また、画質調整操作を受け付けた場合には、シリアル通信制御部１０６にこの操作内容を通知する。
【００６９】
シーケンサ１０２は、カラオケ楽曲の演奏に必要な処理を実行するものであり、曲シーケンサ１０２Ａ、歌詞シーケンサ１０２Ｂ及び文字パターン作成部１０２Ｃを含む。曲シーケンサ１０２Ａは、カラオケ楽曲を演奏するための処理を実行するものである。このカラオケ楽曲を演奏するための処理として、曲シーケンサ１０２Ａは、例えば、操作入力処理部１０１から通知された、ユーザの選択したカラオケ楽曲データＤ１を、曲データ記憶部１１１Ａから読み出してＲＡＭ１２に記憶させる。
【００７０】
曲シーケンサ１０２Ａは、ＲＡＭ１２から順次カラオケ楽曲データＤ１を読み出す。曲シーケンサ１０２Ａは、カラオケ楽曲データＤ１のヘッダ部分に含まれるカラオケ映像データを選択するための情報に基づいて、背景映像再生部１０３にカラオケ映像データの読み出しを指示する。
【００７１】
また、曲シーケンサ１０２Ａは、読み出したデータが曲データである場合には、該読み出した曲データに含まれるデータ（例えば、演奏データトラック、ガイドメロディートラックなどのトラックのデータ等）を用いて、音源１３の発音処理を制御することで、カラオケ楽曲の演奏音を発生させる。また、曲シーケンサ１０２Ａは、読み出したデータが表示情報である場合には、この表示情報をシリアル通信制御部１０６に通知する。
【００７２】
また、曲シーケンサ１０２Ａは、読み出したデータが歌詞データである場合には、この歌詞データを歌詞シーケンサ１０２Ｂに入力する。歌詞シーケンサ１０２Ｂは、曲シーケンサ１０２Ａで処理されるカラオケ楽曲の位置に対応した歌詞データが、曲シーケンサ１０２Ａから入力される。歌詞シーケンサ１０２Ｂは、この歌詞データに基づいて、文字パターン作成部１０２Ｃを用いて歌詞画像パターンを作成して、合成回路４２に入力する。
【００７３】
背景映像再生部１０３（本発明の映像生成手段）は、シーケンサ１０２からの指示に応じて、選択されたカラオケ楽曲に対応したカラオケ映像データをＲＡＭ１２から順次読み出して、ＭＰＥＧデコーダ４１に入力する。
【００７４】
映像再生禁止部１０４は、シリアルインタフェース４３からディスプレイ装置３００の識別ＩＤが入力されたときに、この識別ＩＤに基づいてディスプレイ装置３００が自機に対応する機種であるかを判断する。具体的には、自機に対応する機種の識別ＩＤのリストがＨＤＤ１１に記憶される。映像再生禁止部１０４は、入力した識別ＩＤがリストに含まれていない場合には、ディスプレイ装置３００が自機に対応する機種でないと判断する。
【００７５】
映像信号再生禁止部３４（本発明の映像生成禁止手段）は、この場合には、背景映像再生部１０３がカラオケ映像データを読み出すことを禁止するとともに、歌詞シーケンサ１０２Ｂが歌詞画像パターンを生成することを禁止する。ディスプレイ装置３００がカラオケ装置２００に対応する機種ではない場合、ディスプレイ装置３００には好適に映像が表示されない。このため、映像信号をディスプレイ装置３００に出力しないことで、不適切な映像が表示されることを防止するとともに、映像信号を生成・出力するための処理のぶんだけカラオケ装置２００の処理負荷を軽減させることができる。なお、カラオケ映像データを読み出すことを禁止するのではなく、映像をディスプレイ装置３００に出力することを禁止してもよい。
【００７６】
画像合成指示部１０５（本発明のガイド映像出力手段）は、ディスプレイ制御モードが選択されているときに、操作ガイドウィンドウ記憶部１１２から操作ガイドウィンドウｗ１の画像データを読み出して合成回路４２に入力する。なお、ユーザの操作に応じて、ディスプレイ装置３００に表示される操作ガイドウィンドウｗ１は変更される。具体的には、図２（ａ）で示したような、画質調整を行う項目を選択するための操作ガイドウィンドウｗ１が当初表示されるが、ユーザがこの項目を選択する操作を行った場合には、同図（ｂ）で示したような、選択した項目の画質調整を行うための操作ガイドウィンドウｗ１が表示される。
【００７７】
このため、操作入力処理部１０１はユーザの操作に応じて操作ガイドウィンドウｗ１の変更の指示を画像合成指示部１０５に入力する。画像合成指示部１０５は、この指示を入力したときに、この指示に応じた操作ガイドウィンドウｗ１を記憶部１１２から読み出して合成回路４２に入力する。
【００７８】
シリアル通信制御部１０６（本発明のディスプレイ通信部）は、シリアルインタフェース４３を用いてディスプレイ装置３００との間でシリアル通信を行う。シリアル通信制御部１０６は、ディスプレイ装置３００の動作を制御する制御信号をユーザの操作に応じてＨＤＤ１１から読み出す。そして、この読み出した制御信号をシリアル通信によって送信する。この制御信号には、画質調整ウィンドウｗ２の表示を指示する表示指示信号がある。表示指示信号は、操作入力処理部１０１によってディスプレイ制御モードが切り換え設定された場合に送信される。また、ディスプレイ制御モードにおいて、操作部２０１やリモコン２００Ａで受け付けた操作に応じた画質設定に変更させる画質制御信号がある。
【００７９】
また、背景映像再生部１０３から表示情報の通知があったときにも、この画質制御信号がシリアル通信によって送信される。この場合の画質制御信号は、表示情報の示す画質設定に調整させる制御信号である。そして、この場合には、画質制御信号は画質調整ウィンドウｗ２（図２を参照）の非表示を指示する非表示指示が付されて送信される。
【００８０】
また、シリアル通信制御部１０６（本発明の制御信号出力手段）は、自機の電源がオンされたときに、ディスプレイ装置３００の画質設定をデフォルトに戻させる制御信号を送信する。この制御信号をリセット信号と記載する。これによって、カラオケ装置２００の電源がオフされた後オンされることで、ディスプレイ装置３００の画質設定は初期化されることになる。一方、本実施形態では、ディスプレイ装置３００のみの電源がオフされた場合には、ディスプレイ装置３００の画質設定は初期化せず、ユーザの調整した画質調整が維持されることになる。
【００８１】
また、シリアル通信制御部１０６は、ディスプレイ装置３００の電源がオンされた場合に、ディスプレイ装置３００の電源をオンする制御信号を送信する。これととともに、ディスプレイ装置３００の電源がオフされた場合に、シリアル通信制御部１０６は、ディスプレイ装置３００の電源をオフする制御信号を送信する。これによって、カラオケ装置２００の電源をオン・オフする操作をユーザが行うことで、ディスプレイ装置３００の電源が自動的にオン・オフされるため、ユーザの操作性が向上する。
【００８２】
ネットワーク通信制御部１０７は、ネットワーク通信部４６を用いて広域ネットワークを介して他端末と通信を行う。ネットワーク通信部制御部１０７は、この通信によって、カラオケ楽曲データＤ１を配信するセンタ装置からカラオケ楽曲データＤ１のダウンロードを受ける。このダウンロードしたデータは、曲データ記憶部１１１Ａに記憶される。
【００８３】
図５は、図１で示すディスプレイ装置３００の構成を示すブロック図である。ディスプレイ装置３００は、放送局から電波として受信したテレビ映像音声信号を再生して放映したり、カラオケ装置２００から入力したカラオケ映像信号を再生して放映する機能を備える。
【００８４】
すなわち、ディスプレイ装置３００は、受信したテレビ映像音声信号を再生して放映する手段として、アンテナ３１ａで受信した電波について高周波増幅処理、周波数変換処理、信号レベル増幅処理等の所定の処理を行うチューナ３１と、このチューナ３１からの映像信号が入力され、この映像信号を再生する映像信号再生部３２と、再生した映像信号を出力するためのディスプレイ３３と、チューナ３１からの音声信号が入力され、この音声信号に所定の処理を施した後に再生する音声信号再生部３４と、この再生した音声を出力するためのスピーカ３５を備える。
【００８５】
また、ディスプレイ装置３００は、カラオケ装置２００から入力したカラオケ映像信号を再生して放映する手段として、上記構成の他にビデオ入力部３６を備える。ビデオ入力部３６は、ビデオ入力端子３６ａに接続されたケーブル４００を介して、このケーブル４００に接続されたカラオケ装置２００が出力したカラオケ映像信号を入力し、この入力信号を映像信号再生部３２に出力する。
【００８６】
映像信号再生部３２には、画質調整パラメータが後述のコントローラ３９によって設定される。映像信号再生部３２は、この設定された画質調整パラメータに基づいて画質設定で、入力されたカラオケ映像信号を再生してディスプレイ３３に表示させる。これによって、ディスプレイ３３に表示される画像の画質はコントローラ３９に制御される。
【００８７】
また、ディスプレイ装置３００は、上述した構成の他に、シリアルインタフェース３７及び赤外線受光部３０１を備える。シリアルインタフェース３７は、接続端子３８に接続されたケーブル５００を介してカラオケ装置２００との間でシリアル通信を行うインタフェース回路である。
【００８８】
赤外線受光部３０１は、図略のディスプレイ装置３００のリモコンがユーザの操作を受け付けたときに、このリモコンが発光した赤外光である操作信号を受光する。この操作信号には、ディスプレイ装置３００の画質の調整を指示する信号もある。このため、ディスプレイ装置３００の画質設定は、カラオケ装置２００のリモコン２００Ａ及び操作部２０１を用いて行うことができるとともに、ディスプレイ装置３００のリモコンを用いても行うことができる。
【００８９】
コントローラ３９は、上述したディスプレイ装置３００の各部の動作を制御する。コントローラ３９は、ＲＡＭ３９１、フラッシュメモリ３９２及びＣＰＵ３９３等で実現される。ＲＡＭ３９１は、ＣＰＵ３９３の作業領域として機能する。フラッシュメモリ３９２は、所定のプログラムを記憶するプログラム記憶部（図略）とともに、ウィンドウデータ記憶部３９２Ａ、デフォルト記憶部３９２Ｂ及びパラメータ記憶部３９２Ｃが設けられている。
【００９０】
ウィンドウデータ記憶部３９２Ａは、上述した画質調整ウィンドウｗ２（図２を参照）の画像データを記憶する領域である。また、デフォルト記憶部３９２Ｂは、映像信号再生部３２に設定する上述した画質調整パラメータのデフォルトデータを記憶する領域である。パラメータ記憶部３９２Ｃは、シリアルインタフェース３７から入力されたカラオケ装置２００からの画質制御信号に従って、画質調整させるための画質調整パラメータを記憶する領域である。
【００９１】
ＣＰＵ３９３は、フラッシュメモリで記憶するプログラムを実行することで、シリアルインタフェース３７から入力された、カラオケ装置２００からの制御信号に従った処理を実行する。例えば、制御信号には上述した表示指示信号や画質制御信号がある。
【００９２】
表示指示信号を入力したときには、ＣＰＵ３９３は、ウィンドウデータ記憶部３９２Ａから画質調整ウィンドウｗ２の画像データを読み出して、映像信号再生部３２に入力する。これによって、映像信号再生部３２では、ビデオ入力部３６から入力した操作ガイド画像Ｇに画質調整ウィンドウｗ２を合成する処理を行う。この合成後の画面は例えば図２で示したようにディスプレイ３３に表示される。これによって、ユーザは画質調整ウィンドウｗ２が合成された操作ガイド画像Ｇを見ながら、画質設定を調整する操作を操作部２０１及びリモコン２００Ａを用いて行うことができる。
【００９３】
画質制御信号を入力したときには、ＣＰＵ３９３はこの信号の指示に従って画質設定を調整させる画質調整パラメータで、映像信号再生部３２の画像調整パラメータを更新する。これとともに、このパラメータをパラメータ記憶部３９２Ｃに記憶させる。これによって、ユーザが操作部２０１及びリモコン２００Ａを用いて行った画質設定を調整するための操作に従って、カラオケ映像の画質を調整することができる。これとともに、この画質設定を記録することができる。
【００９４】
画質調整ウィンドウｗ２を表示せずに画質制御信号を入力することもできる。上述したように、カラオケ楽曲データＤ１に表示情報が含まれている場合には、ＣＰＵ３９３はカラオケ装置２００が通常モードであっても画質制御信号を入力する場合がある。この場合に入力される画質制御信号には、上述した画質調整ウィンドウｗ２の非表示指示が付されている。この非表示指示を入力したときには、ＣＰＵ３９３は画質調整ウィンドウｗ２を映像信号再生部３２に入力しない。そして、この場合には、映像信号再生部３２には、操作ガイド画像Ｇではなく通常のカラオケ映像の信号がビデオ入力部３６から入力される。
【００９５】
これによって、非表示指示が入力されたときには、操作ガイド画像Ｇは表示されず、映像信号再生部３２に設定される画質設定の変更のみが行われる。これによって、操作ガイド画像Ｇを表示して、ユーザがカラオケ映像を見ることを妨げることなく、カラオケ映像データに含まれた表示情報に基づいた画質調整を行うことができる。すなわち、カラオケ映像データの内容等に応じた画質調整を行うことができる。
【００９６】
なお、ＣＰＵ３９３は、赤外線受光部３０１から画質調整ウィンドウｗ２の表示を指示する操作信号を入力したときにも、ウィンドウデータ記憶部３９２Ａから画質調整ウィンドウｗ２を読み出して背景映像再生部３２に入力する。この場合には、ビデオ入力部３６から入力されるのは操作ガイド画像Ｇではなく通常のカラオケ映像信号である。
【００９７】
従って、映像信号再生部３２は通常のカラオケ映像に画質調整ウィンドウｗ２を合成し、この合成映像をディスプレイ３３に表示させる。これによって、ユーザはディスプレイ装置３００のリモコンを用いてもモード切り換えを行うための操作及び画質調整操作を行うことができる。
【００９８】
また、ＣＰＵ３９３は、ディスプレイ制御モードが選択されている場合に、画質設定を調整する操作信号を入力したときにも、この信号の指示に従って画質設定を調整させる画質調整パラメータを映像信号再生部３２に設定する。これとともに、このパラメータをパラメータ記憶部３９２Ｃに記憶させる。これによって、ユーザはディスプレイ装置３００のリモコンを用いても画質設定の調整の操作を行うことができる。
【００９９】
ＣＰＵ３９３は、シリアルインタフェース３７からリセット信号を受信したとき、デフォルト記憶部３９２Ｂからデフォルトデータを読み出して映像信号再生部３２に設定する。これとともに、パラメータ記憶部３９２Ｃのデータを削除する。これによって、カラオケ装置２００の電源がオフされた後にオンされたときには、画質設定は初期化される。
【０１００】
一方、ディスプレイ装置３００の電源がオフされた後にオンされたときには、ＣＰＵ３９３は、パラメータ記憶部３９２Ｃから画質調整パラメータを読み出して映像信号再生部３２に設定する。これによって、ディスプレイ装置３００の電源がオフされた場合でも、画質設定は初期化されず、電源がオフされる直前の画質設定が維持される。
【０１０１】
また、ＣＰＵ３９３は、カラオケ装置２００の電源のオンにともなって、自機の電源オンを指示する制御信号を入力する。これとともに、カラオケ装置２００の電源のオフにともなって、自機の電源のオフを指示する制御信号を入力する。ＣＰＵ３９３は、この電源のオフを指示する制御信号を入力したときには自機の電源をオフする。また、電源のオンを指示する制御信号を入力したときには自機の電源をオンする。
【０１０２】
《動作説明》
図６は、図３の示すＣＰＵ１０の実行する初期動作を示すフローチャートである。本フローチャートは、カラオケ装置２００の電源がオンされた場合に実行される。まず、ＣＰＵ１０は、プログラムの読み出し等の起動動作を行う（Ｓ１）。この後、シリアル通信制御部１０６は電源オンを指示する制御信号をディスプレイ装置３００に送信するとともに（Ｓ２）、上述したリセット信号をディスプレイ装置３００に送信する（Ｓ３）。
【０１０３】
ステップＳ２の実行によって、カラオケ装置２００の電源のオンにともなって、ディスプレイ装置３００の電源を自動的にオンするように制御することができる。また、ステップＳ３の実行によって、カラオケ装置２００の電源をオフした後に再度オンすることで、ディスプレイ装置３００の画質をデフォルトに戻すことができる。
【０１０４】
そして、シリアル通信制御部１０６は、識別ＩＤを送信させる制御信号をディスプレイ装置３００に送信する（Ｓ４）。シリアル通信制御部１０６は、ディスプレイ装置３００から送信された識別ＩＤに基づいて、上述したようにディスプレイ装置３００が正規の装置（自機に対応する機種）であるかを判断する（Ｓ５）。
【０１０５】
ディスプレイ装置３００が正規の装置であると判断した場合には（Ｓ５でＹＥＳ）、シリアル通信制御部１０６は、通常モードでカラオケ楽曲の演奏及びカラオケ映像の表示のための通常の処理をシーケンサ１０２及び背景映像再生部１０３に実行するように指示し、このような通常の処理が実行される（Ｓ６）。一方、ディスプレイ装置３００が正規の装置でないと判断した場合には、シリアル通信制御部１０６は、映像再生禁止部１０４にこの旨を通知する。映像再生禁止部１０４は、上述したように、背景映像再生部１０３がカラオケ映像データを読み出すことを禁止するとともに、歌詞シーケンサ１０２Ｂが歌詞画像パターンを生成することを禁止する（Ｓ７）。これによって、映像信号のディスプレイ装置３００への出力が禁止される。
【０１０６】
上述したように、ディスプレイ装置３００がカラオケ装置２００に対応する機種ではない場合、ディスプレイ装置３００には好適に映像が表示されない。このため、ステップＳ７の処理の実行によって、映像信号をディスプレイ装置３００に出力しないことで、不適切な映像が表示されることを防止することができる。これとともに、映像信号を出力するための処理のぶんだけカラオケ装置２００の処理負荷を軽減させることができる。この後、シリアル通信制御部１０６は上述したステップＳ６の動作を実行する。
【０１０７】
図７は、図３で示すＣＰＵ１０の実行するディスプレイ制御モードの処理を示すフローチャートである。この処理は、操作部２０１又はリモコン２００Ａでディスプレイ制御モードを選択する操作を受け付けた場合に実行される。まず、操作入力処理部１０１は上述したようにモード設定をディスプレイ制御モードに切り換える（Ｓ１１）。これとともに、操作入力処理部１０１は、シリアル通信制御部１０６に指示して、表示指示信号をディスプレイ装置３００に対して送信させる（Ｓ１２）。この後、操作入力処理部１０１は、画像合成指示部１０５に操作ガイドウィンドウｗ１の画像データを読み出すように指示する。
【０１０８】
画像合成指示部１０５はこの指示に従ってこの画像データを読み出して合成回路４２に入力する処理（ガイド画面表示処理）を行う（Ｓ１３）。これによって、合成回路４２を介した映像信号は操作ガイド画像Ｇの映像信号となり、この映像信号がケーブル４００を介してディスプレイ装置３００に入力される。
【０１０９】
この後、操作入力処理部１０１は、画質調整操作を受け付けたかどうかを判断する（Ｓ１４）。画質調整操作を受け付けたと判断した場合には（Ｓ１４でＹＥＳ）、操作入力処理部１０１は、シリアル通信制御部１０６に指示して、この操作に対応する制御信号をＨＤＤから読み出して（Ｓ１５）、ディスプレイ装置３００に送信させる（Ｓ１６）。この後、シリアル通信制御部１０６は、本処理をステップＳ１４に戻す。
【０１１０】
画質調整操作を受け付けていないと判断した場合には（Ｓ１４でＮＯ）、操作入力処理部１０１はディスプレイ制御モードの終了操作を操作部２０１またはリモコン２００Ａで受け付けたかを判断する（Ｓ１７）。ディスプレイ制御モードの終了操作を受け付けていないと判断した場合には（Ｓ１７でＮＯ）、操作入力処理部１０１は本処理をステップＳ１４に戻す。ディスプレイ制御モードの終了操作を受け付けたと判断した場合には（Ｓ１７でＹＥＳ）、操作入力処理部１０１は通常モードに設定を切り換える（Ｓ１８）。
【０１１１】
この後、操作入力処理部１０１は、シリアル通信制御部１０６に指示して、ＥＸＩＴ信号をディスプレイ装置３００に送信させる。この後、操作入力処理部１０１は、画像合成指示部１０５に指示して、操作ガイドウィンドウｗ１の読み出しを中止させる処理（ガイド画面終了処理）を行う。これによって、合成回路４２を通過した映像信号は、操作ガイド画像Ｇの信号ではなく通常のカラオケ映像の信号となる。この後、操作入力処理部１０１は本処理を終了させる。
【０１１２】
図８は、図３で示すコントローラ３９の実行する画像調整設定モードの処理を示すフローチャートである。本処理は、表示指示信号を入力した場合、又は赤外線受光部３０１から画質調整ウィンドウｗ２の表示を指示する操作信号を入力した場合に実行される。
【０１１３】
まず、ＣＰＵ３９３は、画質調整ウィンドウｗ２の画像データを読み出す（Ｓ３１）。そして、ＣＰＵ３９３は、画質調整ウィンドウｗ２の画像データを映像信号再生部３２に入力する表示処理を実行する（Ｓ３２）。これによって、映像信号再生部３２では入力された映像に画質調整ウィンドウｗ２の画像が合成される。
【０１１４】
ここで、ディスプレイ制御モードに切り換えるモード切り替え指示信号を入力したことにより本処理を実行するときには、操作ガイド画像Ｇの映像信号が入力される。このため、ディスプレイ３３には、操作ガイド画像Ｇに画質調整ウィンドウｗ２を合成した画像が表示されることになる。一方、ディスプレイ制御モードに切り換える操作信号を入力したことにより本処理を実行するときには、通常のカラオケ映像の映像信号が入力される。このため、ディスプレイ装置３００には、通常のカラオケ映像に画質調整ウィンドウｗ２を合成した画像が表示されることになる。
【０１１５】
この後、ＣＰＵ３９３は、画質制御信号を入力したかどうかを判断する（Ｓ３３）。画質制御信号を入力していないと判断した場合には（Ｓ３３でＮＯ）、ＣＰＵ３９３は後述のステップＳ３６を実行する。画質制御信号を入力したと判断した場合には（Ｓ３３でＹＥＳ）、ＣＰＵ３９３はこの画質調整パラメータをパラメータ記憶部３９２Ｃに記憶させる（Ｓ３４）。
【０１１６】
この後、ＣＰＵ３９３は制御信号の示す画質設定の調整させる画質調整パラメータを生成して背景映像再生部３２に設定する（Ｓ３５）。これによって、画質制御信号の示す画質で映像が表示される。この後、ＣＰＵ３９３は、ＥＸＩＴ信号を入力したかどうかを判断する（Ｓ３６）。
【０１１７】
ＥＸＩＴ信号を入力したと判断した場合には（Ｓ３６でＹＥＳ）、ＣＰＵ３９３は画質調整ウィンドウｗ２の表示を終了するように映像信号再生部３２に指示する（Ｓ３７）。この後、ＣＰＵ３９３は本処理をステップＳ３３に戻す。
【０１１８】
一方、ＥＸＩＴ信号を入力していないと判断した場合には（Ｓ３６でＮＯ）、画質調整ウィンドウｗ２の表示を終了させる操作信号を入力したかどうかを判断する（Ｓ３８）。画質調整ウィンドウｗ２の表示を終了させる操作信号を入力したと判断した場合には（Ｓ３８でＹＥＳ）、ＣＰＵ３９３はステップＳ３７の処理を実行し、この後本処理を終了させる。
【０１１９】
画質調整ウィンドウｗ２の表示を終了させる操作信号を入力していないと判断した場合には（Ｓ３８でＮＯ）、本処理の実行を開始してから所定時間が経過するまで、画質制御信号の入力があったかどうかを判断する（Ｓ３９）。本処理の実行を開始してから所定時間が経過するまで、画質制御信号の入力がなかったと判断した場合には（Ｓ３９でＮＯ）、ＣＰＵ３９３はステップＳ３７を実行した後、本処理を終了させる。一方、本処理の実行を開始してから所定時間が経過するまで、画質制御信号の入力があったと判断した場合には（Ｓ３９でＹＥＳ）、ＣＰＵ３９３は、本処理をステップＳ３３に戻す。
【０１２０】
図７及び図８で示したカラオケ装置２００及びディスプレイ装置３００のディスプレイ制御モードの処理によって、操作部２０１及びリモコン２００Ａを用いてディスプレイ制御モードの選択操作を行った場合には、ディスプレイ装置３００に図２で示すような操作ガイド画像Ｇに画質調整ウィンドウｗ２を合成した画像を表示することができる。
【０１２１】
これによって、カラオケ楽曲の演奏を制御する用の操作子のみを備えた操作部２０１及びリモコン２００Ａを用いての、画質調整のための操作をガイドすることができる。また、このガイドに従って、操作部２０１又はリモコン２００Ａを用いて画質調整のための操作を行うと、この操作に従ってディスプレイ装置３００の画質調整が行われる。これによって、ユーザは、ディスプレイ装置３００及びカラオケ装置２００について単一のリモコン２００Ａや操作部２０１を用いて操作することができ、ユーザの操作負担を軽減させることができる。また、カラオケ楽曲の演奏を制御する用の操作子を操作して画質調整のための操作を行うことできるため、新たに専ら画質調整のための操作子を設けなくてもよく、その分コスト安にすることができる。
【０１２２】
図９は、図３で示すＣＰＵ１０の実行するカラオケ楽曲の演奏及びカラオケ映像信号の出力のための処理（演奏処理）を示すフローチャートである。この演奏処理は、通常モードにおいて、リモコン２００Ａ又は操作部２０１からカラオケ楽曲の再生のための操作信号を入力した場合に実行される。
【０１２３】
まず、曲シーケンサ１０２Ａは、曲データ記憶部１１１Ａに記憶されるカラオケ楽曲データＤ１及びこのタイミングデータを読み出してＲＡＭ１２に記憶させる（Ｓ５１）。そして、曲シーケンサ１０２ＡはＲＡＭ１２からタイミングデータを読み出して、このタイミングデータに従ってカラオケ楽曲データＤ１におけるイベントデータを読み出す。これとともに、曲シーケンサ１０２Ａはカラオケ楽曲データＤ１のヘッダに含まられるカラオケ映像データを選択するための情報に基づいて、カラオケ映像データの読み出しを背景映像再生部１０３に指示する（Ｓ５２）。
【０１２４】
読みだしたイベントデータが曲データである場合には（Ｓ５３でＹＥＳ）、曲シーケンサ１０２Ａが上述したようなカラオケ楽曲の演奏のための処理を実行する。この後、本処理はステップＳ５２に戻される。また、読み出したイベントデータが曲データではなく（Ｓ５３でＮＯ）、歌詞データである場合には（Ｓ５４でＹＥＳ）、曲シーケンサ１０２Ａは歌詞シーケンサ１０２Ｂに上述したような歌詞を背景映像に合成するための処理を実行させる。この後、本処理はステップＳ５２に戻される。
【０１２５】
また、読み出したデータが歌詞データでもない場合には（Ｓ５４でＮＯ）、このイベントデータは表示情報である。この場合には、曲シーケンサ１０２Ａは、シリアル通信制御部１０６に指示して、この表示情報に対応する画質調整信号をＨＤＤ１１から読み出させる（Ｓ５５）。シリアル通信制御部１０６は、この画質調整信号とともに、上述した画質調整ウィンドウｗ２の非表示を指示するための非表示指示信号を読み出す（Ｓ５６）。
【０１２６】
シリアル通信制御部１０６は、読み出した非表示指示信号と画質調整信号とをディスプレイ装置３００に送信する（Ｓ５７）。この後、シリアル通信制御部１０６は本処理をステップＳ５２に戻す。なお、本処理は、ＲＡＭ１２に記憶される全てのイベントデータが読み出された場合に終了する。
【０１２７】
図１０は、図３で示すコントローラ３９が実行する自動画質調整処理を説明するためのフローチャートである。この自動画質調整処理は、通常モードにおいて画質調整信号を入力した場合に実行される。すなわち、図７で示すステップＳ５８で送信された画質調整信号及び非表示指示信号を入力した場合に実行される。
【０１２８】
ＣＰＵ３９３は、非表示指示信号に従って、画質調整ウィンドウｗ２の画像データの読み出しを行わず、入力した画質調整信号の示す画質調整パラメータを生成してパラメータ記憶部３９２Ｃに記憶させる（Ｓ６１）。そして、このパラメータを映像信号再生部３２に設定する（Ｓ６２）。
【０１２９】
上述の処理によって、表示情報に従って、入力した映像信号に好適な画質に自動的に調整して映像を表示することができる。これによって、ユーザが自らカラオケ楽曲の演奏に適した画質に調整する操作負担を軽減することができる。また、この場合には操作ガイド画像Ｇも画質調整ウィンドウｗ２も表示されず、ユーザが映像を見ることを妨げない。
【０１３０】
なお、カラオケ店舗等では、火災等の緊急時には館内放送を行う場合がある。この場合に、カラオケ装置２００の電源をカラオケ店舗側でオフして、館内放送の妨げとならないようにする必要がある。本カラオケ装置２００の電源をカラオケ店舗側で強制的にオフするとカラオケ装置２００を損傷させる場合がある。このため、カラオケ店舗側でディスプレイ装置３００の電源を強制的にオフし、カラオケ装置２００は、制御信号をディスプレイ装置３００に出力しても所定時間の間入力が受け付けられない場合に自動的に電源をオフするように構成してもよい。これによって、カラオケ装置２００を損傷させることなく、カラオケ店舗側で電源をオフすることができる。
【図面の簡単な説明】
【０１３１】
【図１】カラオケシステムの外観を示す斜視図である。
【図２】操作ガイド画像Ｇを示す図である。
【図３】図１で示すカラオケ装置の構成を示すブロック図である。
【図４】カラオケ楽曲データＤ１を示す図である。
【図５】図１で示すディスプレイ装置の構成を示すブロック図である。
【図６】図３の示すＣＰＵの実行する初期動作を示すフローチャートである。
【図７】図３で示すＣＰＵの実行するディスプレイ制御モードの処理を示すフローチャートである。
【図８】図３で示すコントローラの実行する画像調整設定モードの処理を示すフローチャートである。
【図９】図３で示すＣＰＵの実行するカラオケ楽曲の演奏及びカラオケ映像信号の出力のための処理（演奏処理）を示すフローチャートである。
【図１０】図３で示すコントローラが実行する自動画質調整処理を説明するためのフローチャートである。
【符号の説明】
【０１３２】
２００−カラオケ装置        １３−音源（演奏部）    １６−ミキサ（演奏部）    １７−ＳＳ（演奏部）    ３４−映像信号再生禁止部（映像生成禁止手段）    ４２−合成回路（映像信号送信部）    ４３−シリアルインタフェース（ディスプレイ通信部）    １０１−操作入力処理部（操作信号入力手段，モード切換手段）    １０２Ａ−曲シーケンサ（演奏部）    １０３−背景映像再生部（映像生成手段）    １０５−画像合成指示部（ガイド映像出力手段）    １０６−シリアル通信制御部（制御信号出力手段）    １１２−操作ガイドウィンドウ記憶部（ガイド映像記憶部）    ２０１−操作部    ２００Ａ−リモコン（操作部）    ３００−ディスプレイ装置
【図１】
2007052234.tif 000003
【図２】
2007052234.tif 000004
【図３】
2007052234.tif 000005
【図４】
2007052234.tif 000006
【図５】
2007052234.tif 000007
【図６】
2007052234.tif 000008
【図７】
2007052234.tif 000009
【図８】
2007052234.tif 000010
【図９】
2007052234.tif 000011
【図１０】
2007052234.tif 000012